(57)【要約】【課題】  上下に配置した複数の容器を安定良く保持することができる容器保治具を得る。【解決手段】  上端外径より下端外径が小さく上端外周にフランジ部２を有する複数の容器３を上下に配置し、該上下に配置した複数の容器３の間に介在させる容器保持具１であって、上下に配置した複数の容器３の間に配される基板４の両側に折曲線５，６を介して側壁７，８を連設し、前記両側の折曲線５，６上に、前記下側となる容器３Ａのフランジ部２の両側のそれぞれ一部を差し込むスリット９，１０を設け、また、前記基板４には、前記上側となる容器３Ｂの下端外径より大径の容器底部嵌合穴１１を設け、前記基板４の裏面には、基板４の上方から前記容器底部嵌合穴１１に嵌合した上側となる容器３Ｂの底部を支える容器底部支持板１２を、前記容器底部嵌合穴１１から露出するように重ねた。【選択図】    図１
2007269334.tif 000002
【特許請求の範囲】
【請求項１】
上端外径より下端外径が小さく上端外周にフランジ部を有する複数の容器を上下に配置し、該上下に配置した複数の容器の間に介在させる容器保持具であって、上下に配置した複数の容器の間に配される基板の両側に折曲線を介して側壁が連設され、前記両側の折曲線上に、前記下側となる容器のフランジ部の両側のそれぞれ一部を差し込むスリットが設けられ、また、前記基板には、前記上側となる容器の下端外径より大径の容器底部嵌合穴が設けられ、前記基板の裏面には、基板の上方から前記容器底部嵌合穴に嵌合した上側となる容器の底部を支える容器底部支持板が、前記容器底部嵌合穴から露出するように重ねられていることを特徴とする容器保持具。
【請求項２】
前記容器底部支持板は前記基板の端部に折曲線を介して連設され、前記容器底部支持板は折曲線から折り曲げられて前記基板の裏面に重ねられていることを特徴とする請求項１に記載の容器保持具。
【発明の詳細な説明】
【技術分野】
【０００１】
本発明は、上下に配置した複数の容器を保持するのに適した容器保持具に関するものである。
【背景技術】
【０００２】
例えば、ジャム、アイスクリーム、ヨーグルト、プリン等を収容する容器として、上端外径より下端外径が小さく、上端外周にフランジ部を有する円錐台形状で上端開放形の容器本体の上端の開口部をアルミ箔等の金属箔の蓋でフランジ部に剥離可能に密封した容器が知られている。
【０００３】
前記上端外径より下端外径が小さく、上端外周にフランジ部を有する容器（以下、単に容器という。）にあっては、その搬送や取り扱い等を容易にするために、複数の容器を一群として保持する保持具が多く使用されている。前記保持具として、複数の容器の頂面に重ねられる基板と、該基板の両側に折曲線を介して連設された側壁を備え、前記両側の折曲線上に、前記各容器のフランジ部の両側のそれぞれ一部を差し込むスリットを設けた容器保持具が知られている。上記の容器保持具は、前記容器を上下に重ね、一群として包装する包装体における上下の容器群の間に中仕切りとしても多く使用されている（例えば、特許文献１参照。）。
【特許文献１】特許第２９１６２７９号公報
【発明の開示】
【発明が解決しようとする課題】
【０００４】
しかしながら、前記従来の容器保治具では、これを用いて複数の容器を保持し、更にその上に容器を重ねた場合、上側の各容器が下側の各容器を保持している容器保持具の基板上に載置されるが、該基板の上面は平面であるため、基板上に載置された上側の各容器の底部が基板上を滑り易く安定性に欠け、崩れ易いといった問題があり、例えば、陳列のため、この容器保持具により一群として保持した複数の前記容器の上に容器を重ねる作業や、この容器保持具を、前記容器を上下に重ね、一群として包装する包装体における中仕切りとして使用した場合の包装作業を面倒なものとしている。
【０００５】
本発明の目的は、上下に配置した複数の容器を安定良く保持することができる容器保治具を提供することにある。
【課題を解決するための手段】
【０００６】
上記の目的を達成するために、請求項１に記載の発明は、上端外径より下端外径が小さく上端外周にフランジ部を有する複数の容器を上下に配置し、該上下に配置した複数の容器の間に介在させる容器保持具であって、上下に配置した複数の容器の間に配される基板の両側に折曲線を介して側壁が連設され、前記両側の折曲線上に、前記下側となる容器のフランジ部の両側のそれぞれ一部を差し込むスリットが設けられ、また、前記基板には、前記上側となる容器の下端外径より大径の容器底部嵌合穴が設けられ、前記基板の裏面には、基板の上方から前記容器底部嵌合穴に嵌合した上側となる容器の底部を支える容器底部支持板が、前記容器底部嵌合穴から露出するように重ねられていることを特徴とする。
【０００７】
請求項２に記載の発明は、請求項１に記載の、前記容器底部支持板は前記基板の端部に折曲線を介して連設され、前記容器底部支持板は折曲線から折り曲げられて前記基板の裏面に重ねられていることを特徴とする。
【発明の効果】
【０００８】
請求項１に記載の容器保治具によれば、上下に配置した複数の容器の間に配される基板の両側に折曲線を介して側壁が連設され、前記両側の折曲線上に、前記下側となる容器のフランジ部の両側のそれぞれ一部を差し込むスリットが設けられ、また、前記基板には、前記上側となる容器の下端外径より大径の容器底部嵌合穴が設けられ、前記基板の裏面には、基板の上側から前記容器底部嵌合穴に嵌合した上側となる容器の底部を支える容器底部支持板が、前記容器底部嵌合穴から露出するように重ねられているので、基板の裏面に重ねられている容器底部支持板側を下側となる容器の頂面に重ねるようにして、下側となる容器のフランジ部の両側のそれぞれ一部を、基板の両側の折曲線上に設けたスリットに差し込むことにより、下側となる容器を一群として保持することができる。
【０００９】
そして、一群として保持された下側となる容器の上に上側となる容器を重ねるに際し、前記基板に設けられている容器底部嵌合穴に上側となる容器の底部を嵌合させると、該上側となる容器の底部は、基板に設けられている容器底部嵌合穴から露出している容器底部支持板に当接して支えられ、そして、前記上側となる容器が基板の面方向に移動しようとしたとき、前記容器底部嵌合穴に嵌合した上側となる容器の底部外周が容器底部嵌合穴の縁に当接してその移動が阻止されることから、上下に配置した複数の容器を安定良く保持することができ、例えば、陳列のため、複数の容器を上下に配置する作業や、前記容器を一列に上下に重ね、一群として包装する包装作業を容易に行うことができる。
【００１０】
請求項２に記載の容器保治具によれば、請求項１に記載の、前記容器底部支持板は前記基板の端部に折曲線を介して連設され、前記容器底部支持板は折曲線から折り曲げられて前記基板の裏面に重ねられているので、前記基板と前記容器底部支持板とを１枚の板状基材により一体に製造することができることから、容器保治具の製造が容易となり、また取扱いも容易となる。
【発明を実施するための最良の形態】
【００１１】
以下、本発明に係る容器保持具を実施するための最良の形態を図面を参照して詳細に説明する。
【００１２】
図１は本発明に係る容器保持具の実施の形態の一例を示す斜視図、図２は図１に示す容器保持具の展開斜視図、図３は本例の容器保持具の使用状態の一例を示す縦断面図、図４は本例の容器保持具の使用状態の他例を示す縦断面図、図５は本例の容器保持具で下側となる容器群を保持した状態を示す斜視図である。
【００１３】
本例の容器保持具１は、上端外径より下端外径が小さく上端外周にフランジ部２を有する同形の複数の容器３を上下に配置し、該上下に配置した複数の容器３の間に介在させるものであって、上下に配置した複数の容器３の間に配される基板４の両側に折曲線５，６を介して側壁７，８が連設されている。前記基板４の両側の折曲線５，６上には、下側となる容器３Ａのフランジ部２の両側のそれぞれ一部を差し込むスリット９，１０が設けられている。
【００１４】
前記基板４にあっては、その縦幅は、下側となる容器３Ａを複数個一列に配置した長さに応じた幅となっており、また横幅は、下側となる容器３Ａの上端外径の直径よりは長く、上端外周のフランジ部２の直径よりは短い幅となっている。また、前記基板４の両側の折曲線５，６上に設けられている前記スリット９，１０にあっては、折曲線５，６上に所定の間隔を空けて、前記下側となる容器３Ａの数に応じて設けられている。本例では、前記下側となる容器３Ａの数は２個となっているが、これに限らない。
【００１５】
前記基板４には、前記上側となる容器３Ｂの下端外径より大径の容器底部嵌合穴１１が設けられている。本例では、前記容器底部嵌合穴１１の径として、前記容器底部嵌合穴１１に、前記上側となる容器３Ｂの底部を嵌合したとき、上側となる容器３Ｂの底部側の外周が密着して嵌る大きさとなっている。前記容器底部嵌合穴１１は、本例では、前記両側の折曲線５，６上に設けたスリット９，１０の間に位置してそれぞれ設けられているが、必ずしも前記両側の折曲線５，６上に設けたスリット９，１０の間に設けられていなくてもよく、また、その数も前記スリット９，１０により保持する下側となる容器３Ａの数と一致していなくてもよい。
【００１６】
更に、基板４の裏面には、基板４の上方から前記容器底部嵌合穴１１に嵌合した前記上側となる容器３Ｂの底部を支える容器底部支持板１２が、前記容器底部嵌合穴１１から露出するように重ねられている。この容器底部支持板１２は、前記容器底部嵌合穴１１を必ずしも完全に塞ぐように重ねられている必要はなく、少なくとも基板４の上側から前記容器底部嵌合穴１１に嵌合した上側となる容器３Ｂが前記容器底部嵌合穴１１から落ち込まないようになっていればよい。
【００１７】
前記容器底部支持板１２は、前記基板４及びその両側に連設された側壁７，８とは別体に設けられていてもよいが、本例では、前記基板４の一方の端部に折曲線１３を介して連設されており、折曲線１３から折り曲げられて前記基板４の裏面に重ねられている。従って、容器保治具１を構成する基板４に、側壁７，８及び容器底部支持板１２が連設されていることになり（図２）、基板４、側壁７，８及び容器底部支持板１２を１枚の板状基材により一体に製造することができるので、容器保治具１の製造が容易となり、また取扱いも容易となる。
【００１８】
なお、前記容器底部支持板１２は、上記した例に限らず、前記基板４の両方の端部に折曲線を介して連設してもよく、また、前記側壁７及び／又は側壁８の折曲線５，６と対向する端部に、折曲線を介して連設してもよい。もっとも、前記側壁７及び／又は側壁８の折曲線５，６と対向する端部に、折曲線を介して容器底部支持板１２を連設した場合には、該容器底部支持板１２が連設された折曲線を折り曲げて、容器底部支持板１２を前記基板４の裏面に重ねたとき、前記折曲線５，６及びスリット９，１０と重なる容器底部支持板１２の位置に、折曲線及びスリット等を設ける必要がある。
【００１９】
前記基板４、その両側に連設された側壁７，８及び容器底部支持板１２を成形する材料としては、本例では板紙が用いられているが、合成樹脂板でもよく、可撓性と保形剛性を有する材料であれば、その材質は特に限定されない。
【００２０】
このように構成された本発明の容器保治具１によれば、基板４の裏面に重ねられている容器底部支持板１２側を下側となる容器３Ａの頂面に重ねるようにして、下側となる容器３Ａのフランジ部２の両側のそれぞれ一部を、基板４の両側の折曲線５，６上に設けたスリット９，１０に差し込むことにより、複数の下側となる容器３Ａが一群として保持される（図５）。
【００２１】
このようにして保持された複数の下側となる容器３Ａの上に同形の上側となる容器３Ｂを重ねるに際し、前記基板４に設けられている容器底部嵌合穴１１に上側となる容器３Ｂの底部を嵌合させると、該上側となる容器３Ｂの底部は、基板４に設けられている容器底部嵌合穴１１から露出している容器底部支持板１２に当接して支えられる（図３）。
【００２２】
このようにして底部が基板４に設けられている容器底部嵌合穴１１に嵌合し、容器底部支持板１２で支えられた上側となる容器３Ｂは、例えば、下側となる容器３Ａの傾斜や外的衝撃等により基板４の面方向に移動しようとしたとき、前記容器底部嵌合穴１１に嵌合している底部外周が容器底部嵌合穴１１の縁に当接してその移動が阻止される。この結果、一群として保持された複数の下側となる容器３Ａの上に重ねた、上側となる容器３Ｂも安定良く保持することができ、例えば、陳列のため、複数の容器３を上下に配置する作業を容易に行うことができる。
【００２３】
また、前記のように容器保治具１を使用することにより、下側となる容器３Ａを一群として保持するとともに、下側となる容器３Ａの上に重ねた上側となる容器３Ｂも安定良く保持することができるので、例えば、図４に示すように、上下に２段重ねした容器３Ａ，３Ｂを一群として包装する包装体１４における上側となる容器３Ｂと下側となる容器３Ａの中仕切り板として、前記容器保治具１を使用すれば、前記包装体１４による包装作業を容易に行うことができる。
【００２４】
図４に示す包装体１４は、包装前は帯状となっており、上下に２段重ねした容器３Ａ，３Ｂを一巻きして端部を固定し、筒状となって前記上下に２段重ねした容器３Ａ，３Ｂを包装する形態となっており、前記包装体１４には、包装の際に上側となる容器３Ｂのフランジ部２のそれぞれ両側に接する部分に、該フランジ部２の一部を差し込むスリット１５，１６が設けられている。
【図面の簡単な説明】
【００２５】
【図１】本発明に係る容器保持具の実施の形態の一例を示す斜視図。
【図２】図１に示す容器保持具の展開斜視図。
【図３】本例の容器保持具の使用状態の一例を示す縦断面図。
【図４】本例の容器保持具の使用状態の他例を示す縦断面図。
【図５】本例の容器保持具で下側となる容器群を保持した状態を示す斜視図。
【符号の説明】
【００２６】
１  容器保持具
２  フランジ部
３  容器
３Ａ  下側となる容器
３Ｂ  上側となる容器
４  基板
５，６  折曲線
７，８  側壁
９，１０  スリット
１１  容器底部嵌合穴
１２  容器底部支持板
１３  折曲線
１４  包装体
１５，１６  スリット
【図１】
2007269334.tif 000003
【図２】
2007269334.tif 000004
【図３】
2007269334.tif 000005
【図４】
2007269334.tif 000006
【図５】
2007269334.tif 000007